(57)【特許請求の範囲】
【請求項１】
ブラシ体の多種類の動作をおこなう駆動部を備え、設定時間が経過すると出力するタイマー機構と、タイマー機構の出力に基づく駆動部の上記設定時間にわたる上記動作を交互に変更する回路ブロックとにより構成した動作変更部を備えた電動歯ブラシであって、ブラシ体の多種類の動作を交互に所定時間にわたっておこなう一連動作と次の一連動作との間にブラシ体の動作を休止させる動作休止手段を備えて成ることを特徴とする電動歯ブラシ。
【請求項２】
ブラシ体の多種類の動作をおこなう駆動部を備え、設定時間が経過すると出力するタイマー機構と、タイマー機構の出力に基づく駆動部の上記設定時間にわたる上記動作を交互に変更する回路ブロックとにより構成した動作変更部を備えた電動歯ブラシであって、ブラシ体の多種類の動作を交互に所定時間にわたっておこなう一連動作と次の一連動作との間にブラシ体の動作を強又は弱又は強・弱を交互におこなう強弱作動手段を備えて成ることを特徴とする電動歯ブラシ。
【請求項３】
ブラシ体の多種類の動作をおこなう駆動部を備え、設定時間が経過すると出力するタイマー機構と、タイマー機構の出力に基づく駆動部の上記設定時間にわたる上記動作を交互に変更する回路ブロックとにより構成した動作変更部を備えた電動歯ブラシであって、上記ブラシ体の多種類の動作の時間を異ならせる動作時間変更手段を備えて成ることを特徴とする電動歯ブラシ。
【請求項４】
ブラシ体の多種類の動作をおこなう駆動部を備え、設定時間が経過すると出力するタイマー機構と、タイマー機構の出力に基づく駆動部の上記設定時間にわたる上記動作を交互に変更する回路ブロックとにより構成した動作変更部を備えた電動歯ブラシであって、ブラシ体の多種類の動作を交互に所定時間にわたっておこなう一連動作と次の一連動作との間にブラシ体の動作を休止させる動作休止手段、ブラシ体の多種類の動作を交互に所定時間にわたっておこなう一連動作と次の一連動作との間にブラシ体の動作を強又は弱又は強・弱を交互におこなう強弱作動手段、及び、ブラシ体の多種類の動作の時間を異ならせる動作時間変更手段のうち少なくとも二つの手段を備えて成ることを特徴とする電動歯ブラシ。
【請求項５】
一連動作の開始時に弱を設定して成ることを特徴とする請求項１記載の電動歯ブラシ。
【発明の詳細な説明】
【０００１】
【産業上の利用分野】
本発明は、電動歯ブラシに関するものである。
【０００２】
【従来の技術】
従来、電動歯ブラシはその動作が一定となっている。したがって、例えば、磨く位置に手で持って固定する場合に、個人差、くせ及び、固定する位置によって、磨き過ぎる場合があり、歯ぐき、歯を傷めるおそれも考えられ、また、みがき不足になることもある。そして、ブラシッングは各歯及び歯ぐきに対して歯垢を除去できるのに適した時間でおこなわれるのが望ましい。
【０００３】
【発明が解決しようとする課題】
本発明はこのような問題に鑑みてなされたものであり、その目的とするところは、ブラシッングしている時間の長さを使用者に認識させることができ、結果として、ブラシッングしている時間を略一定にして、磨き過ぎや磨き不足を回避することができる電動歯ブラシを提供しようとするにある。
【０００４】
【課題を解決するための手段】
請求項１においては、ブラシ体５の多種類の動作をおこなう駆動部２を備え、設定時間が経過すると出力するタイマー機構と、タイマー機構の出力に基づく駆動部２の上記設定時間にわたる上記動作を交互に変更する回路ブロック１４とにより構成した動作変更部を備えた電動歯ブラシであって、ブラシ体５の多種類の動作を交互に所定時間にわたっておこなう一連動作ＴＤと次の一連動作ＴＤとの間にブラシ体５の動作を休止させる動作休止手段を備えて成ることを特徴とするものである。
【０００５】
請求項２においては、ブラシ体５の多種類の動作をおこなう駆動部２を備え、設定時間が経過すると出力するタイマー機構と、タイマー機構の出力に基づく駆動部２の上記設定時間にわたる上記動作を交互に変更する回路ブロック１４とにより構成した動作変更部を備えた電動歯ブラシであって、ブラシ体５の多種類の動作を交互に所定時間にわたっておこなう一連動作ＴＤと次の一連動作ＴＤとの間にブラシ体５の動作を強又は弱又は強・弱を交互におこなう強弱作動手段を備えて成ることを特徴とするものである。
【０００６】
請求項３においては、ブラシ体５の多種類の動作をおこなう駆動部２を備え、設定時間が経過すると出力するタイマー機構と、タイマー機構の出力に基づく駆動部２の上記設定時間にわたる上記動作を交互に変更する回路ブロック１４とにより構成した動作変更部を備えた電動歯ブラシであって、上記ブラシ体５の多種類の動作の時間を異ならせる動作時間変更手段を備えて成ることを特徴とするものである。
【０００７】
請求項４においては、ブラシ体５の多種類の動作をおこなう駆動部２を備え、設定時間が経過すると出力するタイマー機構と、タイマー機構の出力に基づく駆動部２の上記設定時間にわたる上記動作を交互に変更する回路ブロック１４とにより構成した動作変更部を備えた電動歯ブラシであって、ブラシ体５の多種類の動作を交互に所定時間にわたっておこなう一連動作ＴＤと次の一連動作ＴＤとの間にブラシ体５の動作を休止させる動作休止手段、ブラシ体５の多種類の動作を交互に所定時間にわたっておこなう一連動作ＴＤと次の一連動作ＴＤとの間にブラシ体５の動作を強又は弱又は強・弱を交互におこなう強弱作動手段、及び、ブラシ体５の多種類の動作の時間を異ならせる動作時間変更手段のうち少なくとも二つの手段を備えて成ることを特徴とするものである。
【０００８】
請求項５においては、一連動作ＴＤの開始時に弱Ｙを設定して成ることを特徴とするものである。
【０００９】
【作用】
請求項１においては、ブラシ体５の多種類の動作をおこなう駆動部２を備え、設定時間が経過すると出力するタイマー機構と、タイマー機構の出力に基づく駆動部２の上記設定時間にわたる上記動作を交互に変更する回路ブロック１４とにより構成した動作変更部を備えた電動歯ブラシであって、ブラシ体５の多種類の動作を交互に所定時間にわたっておこなう一連動作ＴＤと次の一連動作ＴＤとの間にブラシ体５の動作を休止させる動作休止手段を備え、請求項２においては、ブラシ体５の多種類の動作をおこなう駆動部２を備え、設定時間が経過すると出力するタイマー機構と、タイマー機構の出力に基づく駆動部２の上記設定時間にわたる上記動作を交互に変更する回路ブロック１４とにより構成した動作変更部を備えた電動歯ブラシであって、ブラシ体５の多種類の動作を交互に所定時間にわたっておこなう一連動作ＴＤと次の一連動作ＴＤとの間にブラシ体５の動作を強又は弱又は強・弱を交互におこなう強弱作動手段を備え、請求項３においては、ブラシ体５の多種類の動作をおこなう駆動部２を備え、設定時間が経過すると出力するタイマー機構と、タイマー機構の出力に基づく駆動部２の上記設定時間にわたる上記動作を交互に変更する回路ブロック１４とにより構成した動作変更部を備えた電動歯ブラシであって、上記ブラシ体５の多種類の動作の時間を異ならせる動作時間変更手段を備え、請求項４においては、ブラシ体５の多種類の動作をおこなう駆動部２を備え、設定時間が経過すると出力するタイマー機構と、タイマー機構の出力に基づく駆動部２の上記設定時間にわたる上記動作を交互に変更する回路ブロック１４とにより構成した動作変更部を備えた電動歯ブラシであって、ブラシ体５の多種類の動作を交互に所定時間にわたっておこなう一連動作ＴＤと次の一連動作ＴＤとの間にブラシ体５の動作を休止させる動作休止手段、ブラシ体５の多種類の動作を交互に所定時間にわたっておこなう一連動作ＴＤと次の一連動作ＴＤとの間にブラシ体５の動作を強Ｘ又は弱Ｙ又は強Ｘ・弱Ｙを交互におこなう強弱作動手段、及び、ブラシ体５の多種類の動作の時間を異ならせる動作時間変更手段のうち少なくとも二つの手段を備えているから、上記各請求項の構成においては、ブラシッング時間を使用者に容易に判らせる。結果として、ブラシッングの最適時間で磨くように認識させる。このようにして、磨きすぎ、磨き残しを無くし、良好なブラシッングがおこなえる。
【００１０】
請求項５においては、一連動作ＴＤの開始時に弱を設定してあって、一連動作の動作開始時にはスロースタートをする。このことで、歯と歯ぐきを痛めないブラシッングがおこなえ、特に、始めのブラシッングを確実におこなえ、最適押さえ角度θと言われている４５°にブラシ体を当てることができ、一層良好なブラシッングがおこなえる。
【００１１】
【実施例】
以下本発明の実施例を図面に基づいて詳述する。
電動歯ブラシＡは、本体４と本体４の端部に着脱自在に連結されるブラシ体５とを備えている。ブラシ体５は柄部６の先端側側面に多数本のブラシ７が植設されていて、本体４により歯磨き動作されるものである。
【００１２】
本体４は外殻部材として大きな略円筒状をなす本体ハウジング８を有している。本体ハウジング８は、水が内部に浸入するのを防止するために、先端開口を防水ブーツ９にて閉じている。本体ハウジング８の内部には、多種類の動作をおこなう駆動部２と、駆動部２の動作を選択して変更する動作変更部３とを収容している。
【００１３】
駆動部２は、モータ１０と、モータ１０の回転運動を往復運動に変換する運動変換手段１１と、運動変換手段１１の出力部に連結された駆動軸１２とから構成されている。ここで、運動変換手段１１は、モータ１０の回転運動を往復直線運動に又は往復回転運動の往復運動に変換するものであり、従来周知のものを採用している。運動変換手段１１が何れの運動に変換するかは、モータ１０の回転方向によって決められている。駆動軸１２は、その先端が防水ブーツ９の略中央を貫通して本体ハウジング８から突出されており、その突出した部分にブラシ体５が着脱自在に連結れるようになっている。
【００１４】
動作変更部は、電源スイッチ１３がオンされてから設定時間が経過すると出力するタイマー機構と、タイマー機構の出力に応じて駆動部２の動作、即ち、モータ１０の回転方向を変更する回路ブロック１４とにより構成されている。
図中、１５はモータ１０の電源としての電池、１６はブラシ体５の強弱を変更する強弱変更スイッチである。
【００１５】
次に、本実施例の動作について説明する。ここでは、通常時における運動変換手段１１により変換される往復運動を、往復直線運動として説明する。
電源スイッチ１３をオンすると、モータ１０が回転運動する。モータ１０の回転運動は、運動変換手段１１にて往復直線運動に変換されて駆動軸１２に伝達され、ブラシ体２が往復運動する。そして、電源スイッチ１３がオンされてから設定時間が経過したとき駆動部２の動作、即ち、モータ１０の回転方向を変更する。モータ１０の回転方向が変更されると、モータ１０の回転運動は、運動変換手段１１にて往復回転運動に変換されて駆動軸１２に伝達され、ブラシ体５が往復回転運動する。また、タイマー機構により、設定時間が経過すると、モータ１０の回転方向を変更、即ち元に戻す。
【００１６】
以上のような電動歯ブラシＡにおいて、図２に示すように、モータ１０の回転方向がタイマー機構により設定時間が経過する毎に切り換えられる一連動作ＴＤを所定時間にわたっておこない、このような一連動作ＴＤを繰り返すのに、一連動作ＴＤ，ＴＤの間に休止期ＴＲを設けるための動作休止手段を備えている。この動作休止手段は例えばタイマー機構に組み込んでおけばよい。そして、Ｔ１  は１〜１０秒程度、Ｔ２  は１〜１０秒程度が最適時間である。
【００１７】
図３は他の実施例を示していて、一連動作ＴＤ  を繰り返すのに、電動歯ブラシ操作の強Ｘ又は弱又は強Ｘ・弱Ｙを交互におこなう強弱作動手段を備えるものである。この強弱作動手段も例えば運動変換手段１１などに組み込んでおけばよい。そして、実施例においては、例えば、強動作Ｘを入れる。そして、Ｔ１  は１〜１０秒程度、Ｔ２  は１〜１０秒程度が最適時間である。この場合、強動作Ｘにかえて、弱動作、又は強と弱の組み合わせであってもよい。
【００１８】
図４は更に他の実施例を示していて、時間的に異ならせる動作時間変更手段を備えているものである。この動作時間変更手段も例えば、タイマー機構に組み込んでおけばよい。そして、実施例においては、例えば、Ｔ１  ，Ｔ２  と異なる時間ＴＪ１，ＴＪ２を設ける。そして、動作ホはＴ１  ＝Ｔ２  ＜ＴＪ１＝ＴＪ２としているが、Ｔ１  ＝Ｔ２  ＞ＴＪ１＝ＴＪ２でもよい。但し、時間的に感知できる程度の差、つまり、１〜５秒程度となる。
【００１９】
図５は更に他の実施例を示していて、モータ１０の正逆回転による多種類の動作を交互に所定時間にわたって一連動作ＴＤをおこない、その一連動作ＴＤ，ＴＤ間にブラシ体５の動作を休止させる休止期ＴＲ  となるための上記動作休止手段と、多種類の動作を時間的に異ならせる上記動作時間変更手段を備えるものである。
図６は更に他の実施例を示していて、一連動作ＴＤ  を繰り返すのに、休止期ＴＲ  を設定し、そして、一連動作ＴＤ  の動作開始時に弱動作Ｙを設定するものである。
【００２０】
図７は更に他の実施例を示していて、上記多種類の動作リ及び動作ヌを交互におこない、その一連動作ＴＤ  の動作開始時に弱動作Ｙを設定するものである。
【００２１】
【発明の効果】
請求項１においては、ブラシ体の多種類の動作をおこなう駆動部を備え、設定時間が経過すると出力するタイマー機構と、タイマー機構の出力に基づく駆動部の上記設定時間にわたる上記動作を交互に変更する回路ブロックとにより構成した動作変更部を備えた電動歯ブラシであって、ブラシ体の多種類の動作を交互に所定時間にわたっておこなう一連動作と次の一連動作との間にブラシ体の動作を休止させる動作休止手段を備え、請求項２においては、ブラシ体の多種類の動作をおこなう駆動部を備え、設定時間が経過すると出力するタイマー機構と、タイマー機構の出力に基づく駆動部の上記設定時間にわたる上記動作を交互に変更する回路ブロックとにより構成した動作変更部を備えた電動歯ブラシであって、ブラシ体の多種類の動作を交互に所定時間にわたっておこなう一連動作と次の一連動作との間にブラシ体の動作を強又は弱又は強・弱を交互におこなう強弱作動手段を備え、請求項３においては、ブラシ体の多種類の動作をおこなう駆動部を備え、設定時間が経過すると出力するタイマー機構と、タイマー機構の出力に基づく駆動部の上記設定時間にわたる上記動作を交互に変更する回路ブロックとにより構成した動作変更部を備えた電動歯ブラシであって、上記ブラシ体の多種類の動作の時間を異ならせる動作時間変更手段を備え、請求項４においては、ブラシ体の多種類の動作をおこなう駆動部を備え、設定時間が経過すると出力するタイマー機構と、タイマー機構の出力に基づく駆動部の上記設定時間にわたる上記動作を交互に変更する回路ブロックとにより構成した動作変更部を備えた電動歯ブラシであって、ブラシ体の多種類の動作を交互に所定時間にわたっておこなう一連動作と次の一連動作との間にブラシ体の動作を休止させる動作休止手段、ブラシ体の多種類の動作を交互に所定時間にわたっておこなう一連動作と次の一連動作との間にブラシ体の動作を強又は弱又は強・弱を交互におこなう強弱作動手段、及び、ブラシ体の多種類の動作の時間を異ならせる動作時間変更手段のうち少なくとも二つの手段を備えているから、上記各請求項においては、ブラシッング時間を使用者に容易に判らせることができ、結果として、ブラシッングの最適時間で磨くように認識でき、磨きすぎ、磨き残しを無くし、良好なブラシッングがおこなえるという利点がある。
【００２２】
請求項５においては、一連動作の開始時に弱を設定してあるから、一連動作の動作開始時にはスロースタートをすることができ、歯と歯ぐきを痛めないブラシッングがおこなえ、特に、始めのブラシッングを確実におこなえ、最適押さえ角度と言われている４５°にブラシ体を当てることができ、一層良好なブラシッングがおこなえるという利点がある。
【図面の簡単な説明】
【図１】本発明の一実施例の電動歯ブラシの断面図である。
【図２】請求項１及び４の実施例の動作を示すタイムチャートである。
【図３】請求項２及び５の実施例の動作を示すタイムチャートである。
【図４】請求項３及び６の実施例の動作を示すタイムチャートである。
【図５】請求項７の実施例の動作を示すタイムチャートである。
【図６】請求項８の実施例の動作を示すタイムチャートである。
【図７】請求項８の他の実施例の動作を示すタイムチャートである。
【図８】歯磨きに最適なブラシ体の押し付け状態を示す説明図である。
【符号の説明】
２  駆動部
３  動作変更部
ＴＲ    休止期
Ｘ    強動作
Ｙ    弱動作
【図１】
0003574874.tif 000002
【図２】
0003574874.tif 000003
【図３】
0003574874.tif 000004
【図４】
0003574874.tif 000005
【図５】
0003574874.tif 000006
【図６】
0003574874.tif 000007
【図７】
0003574874.tif 000008
【図８】
0003574874.tif 000009